Podtech/llm-jp-corpus-v4-ja_patent huggingface dataset:
(57)【要約】      （修正有）【課題】簡単に目が覚めるように、ふたつの目覚まし時計を並べて配置し成型し、それぞれが独立して作動するようにセットした目覚まし時計を提供する。【解決手段】目覚まし時計をふたつ、よこ又はたてに並べてひとつのかたちに成型し、それぞれが独立して作動するようにした。【選択図】図１
0003224113.tif 000002
【実用新案登録請求の範囲】
【請求項１】
目覚まし時計をふたつよこに並べて（およびたてに並べて）成型することを特徴とする時計で  ひとつひとつが独立して動くようにセットした時計
【請求項２】
【考案の詳細な説明】
【技術分野】
【００１】目覚まし時計を二つ並べて成型することを特徴とする時計
【背景技術】
【考案が解決しようとする課題】
【００２】二つの目覚まし時計を並べて成型し  それぞれが独立して゜作動するようにしようとするも
【００３】
【課題を解決するための手段】
【００４】二つの目覚まし時計をよこならび  あるいはたてにならべて成型し  それぞれが独立して作動するようにしたもの
たての場合音の停止ボタンを上部ではなくてよこかななめに取り付ける
【考案の効果】
【００５】目を覚ますことを確実に確保する事ができる
【考案を実施するための最良の形態】
【００６】二つの目覚まし時計をふたつよこに配置して成型し  （またはたてに配置し）それぞれが独立して作動するようにセットした時計
【図面の簡単な説明】
【００７】
【図１】一図は目覚まし時計をよこに配置した図
【図２】二図は目覚まし時計をたてに配置した図  技術がないのて並べただけで申し分けありません
【図１】
0003224113.tif 000003
【図２】
0003224113.tif 000004
【手続補正書】
【提出日】令和1年9月4日(2019.9.4)
【手続補正１】
【補正対象書類名】実用新案登録請求の範囲
【補正対象項目名】全文
【補正方法】変更
【補正の内容】
【実用新案登録請求の範囲】
【請求項１】
目覚まし時計をふたつよこ又はたてに並べてひとつのかたちに成型した時計で、組み込んだ二つの時計がそれぞれ独立して作動するようにした時計
【手続補正２】
【補正対象書類名】明細書
【補正対象項目名】全文
【補正方法】変更
【補正の内容】
【考案の詳細な説明】
【技術分野】
【００１】目覚まし時計をふたつよこ又はたてに並べて一つの形に成型し、組み込んだ二つの時計がそれぞれ独立して動くようにした時計
【背景技術】
【００２】今まで目覚まし時計をふたつ、よこ又はたてに並べてひとつの形に成型し一つ一つが動くようにしたものはなく  目を覚ますことを二重に確保するものがなかった。
【考案が解決しようとする課題】
【００３】ふたつの目覚まし時計をよこ又はたてに並べて一つの形に成型し、組み込んだ二つの時計がそれぞれ独立して動くようにしようとする時計。
【課題を解決するための手段】
【００４】ふたつの目覚まし時計をよこ又はたてにならべて一つの形に成型し、組み込んだ二つの時計がそれぞれ独立してうごき、音がなるようにする時計。
【考案の効果】
【００５】目を覚ますことを二重に確保し、確実にすることができる。
【考案を実施するための最良の形態】
【００６】ふたつの目覚まし時計をよこ又はたてに並べて一つの形に成型し  組み込んだ二つの時計がそれぞれ独立して動くようにすること。
音の停止ぼたんをよこに並べたものはそれぞれの上部に，又たてに並べた時それぞのよこにとりつける
【図面の簡単な説明】
【００７】
【図１】  一図は目覚まし時計二つををよこに配置した図
【図２】  二図は目覚まし時計ふたつをたてに配置した図
(57)【要約】      （修正有）【課題】デザイン部を有し、デザイン部を液（飲料）から露出させる氷及びその製造に用いる製氷器を提供する。【解決手段】デザイン部が設けられた氷４であって、外周を取り巻き、垂直方向に延びる縁５を有するベース部上にデザイン部を設けた。氷と水の密度差による浮力に加え、縁内部の空気と水の密度差を利用して、ベース部が小さくともデザイン部を飲料６から露出させることが可能となる。【選択図】図２
0003224114.tif 000002
【実用新案登録請求の範囲】
【請求項１】
ベース部上にデザイン部が設けられた氷であって、前記ベース部のデザイン部が設けられる面に、外周を取り巻き、垂直方向に延びる縁を有することを特徴とする氷。
【請求項２】
請求項１に記載の氷の製造に用いる製氷器であって、ベース部となる部分とデザイン部となる部分の隙間を有することを特徴とする製氷器。
【考案の詳細な説明】
【技術分野】
【０００１】
本考案はデザイン部を有する氷及びその製造に用いる製氷器に関する。
【背景技術】
【０００２】
味気のない氷にデザイン性を付与するため、特許文献１には、角型のベース部に、動物、花、文字、数字等のデザイン部を設けた絵型付き製氷器が記載されている。
【０００３】
また、製氷器によって作られた氷を容器内の飲料に投入すると、氷の密度は水の密度より約１０％小さいので、氷の約１０％の部分が飲料面上に、それ以外の部分が飲料中に没することとなる。
【０００４】
よって、特許文献１に記載したような製氷器によって作られた氷は、デザイン部の体積が大きいと、デザイン部が飲料中に没してしまうことになる。これを防止するためにベース部を大きくすることが考えられるが、ベース部を大きくすると氷ができるまで時間がかかる。また、ベース部を大きくすると氷が溶けた際、飲料が薄くなってしまう。
【先行技術文献】
【特許文献】
【０００５】
【特許文献１】実開昭５２−１７１７５７号公報
【考案の概要】
【考案が解決しようとする課題】
【０００６】
デザイン部を大きくしながら、デザイン部を液（飲料）から露出させる、氷及びその製造に用いる製氷器を提供する。
【課題を解決するための手段】
【０００７】
本考案は、ベース部上にデザイン部が設けられた氷であって、前記ベース部のデザイン部が設けられる面の外周を取り巻き、垂直方向に延びる縁を有することを特徴とする氷である。
【０００８】
また、請求項１に記載の氷の製造に用いる製氷器であって、ベース部となる部分とデザイン部となる部分の隙間を有することを特徴とする製氷器である。
【考案の効果】
【０００９】
本考案は、氷と水の密度差による浮力に加え、縁内部（凹部）の空気と水の密度差を利用して、ベース部が小さくともデザイン部を飲料から露出させることが可能である。
【００１０】
また、ベース部を薄く（小さく）することができるので、短時間で氷を作成することができる。
【００１１】
更に、ベース部とデザイン部の界面が飲料の液面下となる氷は、今まで存在しないので、使用者の目を惹くことが可能となる。
【図面の簡単な説明】
【００１２】
【図１】製氷器の断面説明図である。
【図２】製氷器を用いて作成した氷を飲料に浮かべた状態の断面説明図である。
【考案を実施するための形態】
【００１３】
以下、考案を実施するための最良の形態を、図面を用いて詳細に説明する。
【００１４】
（氷の形状）
ベース部の形状として、シャーレ（ペトリ皿）のような、高さの低い円柱の外周を取り巻き、垂直方向に延びる縁を有する形状を採用した。縁があることにより、縁内部の空気と水の密度差を利用して、ベース部が小さくともデザイン部を飲料から露出させることが可能となる。縁の高さは、グラスに入れた際、飲料に生じる波が容易に乗り越えないものとするため、１〜５ｍｍ程度であることが好ましい。デザイン部が飲料に沈む時間は、ベース部の縁の垂直もしくは水平方向の厚さにより調整することができる。なお、ベース部の形状が円柱に限られないことは言うまでもない。
【００１５】
ベース部上に設けるデザイン部３の形状として、帆を立てたヨットの形状を採用した。
【００１６】
（製氷器の製造）
上記ベース部となる部分２とデザイン部となる部分３を含む型を作成後、型にシリコーンゴムを注入し、ベース部となる部分２とデザイン部となる部分３の隙間を有する１ピースの製氷器１を作成した（図１参照）。
【００１７】
（氷の製造）
製氷器に気泡が発生しないように水を注入した。その際、冷凍庫内への移送時に水がこぼれないようにするために、及び、水が氷となる際の若干の体積膨張を考慮し、製氷器の上部に１〜２ｍｍの水を入れない部分を設けた。
【００１８】
市販の冷蔵庫の冷凍庫に製氷器をいれたところ、水は約１５分で完全に氷となった。ベース部を薄く（小さく）することができるので、氷を短時間で作成することができた。製氷器から氷を出すと、シャーレ（ペトリ皿）のような円の外周に縁を有する形状のベース部として、ベース部上に設けられたヨットの形状のデザイン部を有する氷４が完成した（図２参照）。ヨットの舳先の部分はベース部とデザイン部の界面より出っ張るが、シリコーンゴムのような可撓性を有する材料からなる型であるならば取出しが可能である。さらに出っ張りが大きく、１ピースの型から取り出し難い形状である場合には、複数のピースからなる型としてもよい。
【００１９】
この氷を飲料６に浮かべたところ、喫水線は縁５の部分となるとともに、ベース部の上面より上となるので、飲料の液面より下からデザイン部が開始する今までにない氷であることが分かった。
【００２０】
なお、その氷をベース部とデザイン部の界面で分割し、水に戻したところ、ベース部の体積は１８ｃｃ、デザイン部の体積は３ｃｃであった。
【符号の説明】
【００２１】
１  製氷器
２  ベース部となる部分（点線より上）
３  デザイン部となる部分（点線より下）
４  氷
５  縁
６  飲料
【図１】
0003224114.tif 000003
【図２】
0003224114.tif 000004
(57)【要約】      （修正有）【課題】小物はもちろん、特に掛け布団など大きな物向けの出し入れ口の形状の袋状物の出し入れ口。【解決手段】所定の幅ｄを有する開け口ａに、開け口ａを少なくとも覆うことのできる大きさの幅を有するフラップｂを被せて閉じ具で閉じる形状。【選択図】図１
0003224112.tif 000002
【実用新案登録請求の範囲】
【請求項１】
所定の幅（ｄ）を有する開け口（ａ）に、開け口（ａ）を少なくとも覆うことのできる大きさの幅を有するフラップ（ｂ）を被せて閉じ具で閉じる形状で、袋状物の出し入れ口。
【考案の詳細な説明】
【技術分野】
【０００１】小物はもちろん、特に掛け布団など大きな物向けの出し入れ口の形状に関する。
【考案の概要】
【考案が解決しようとする課題】
【０００２】袋状物から物を出し入れする際、開け口が広いことで出し入れがより容易になる。特に大物である布団を扱うことは割りあい大変な作業であり、その布団にカバーを付けたり外したりするとなると相応の労力が要る。そのような労力により物の出し入れがわずらわしく感じる方、ご高齢の方、体の不自由な方々向けにより簡単に出し入れできる工夫が必要である。
【課題を解決するための手段】
【０００３】所定の幅（ｄ）を有する開け口（ａ）に、開け口（ａ）を少なくとも覆うことのできる幅を有するフラップ（ｂ）を被せて閉じ具で閉じる形状で、袋状物に出し入れ口として設ける。【０００４】袋状物すべてのものに、また開け口があらゆる形であっても応用が可能である。閉じ具は必要に応じて、オープンファスナー、スナップボタン、面ファスナー、フック、ボタン等をつける。【０００５】袋状物が掛け布団を出し入れする掛け布団カバーである場合、カバーの短辺と平行となるような開け口（ａ）をカバー長辺中央に設ける。開け口（ａ）に所定の幅（ｄ）を持たせてフラップ（ｂ）を被せて閉じる。図２はこの事例をイメージして表している。
【考案の効果】
【０００６】出し入れする物によって開け口（ａ）の幅を適宜考慮することで、より容易な出し入れを可能にする。図２のように、例えば掛け布団カバーに本考案出し入れ口を設けた場合、大きく開くのでふんわり厚みのある羽毛布団などでも出し入れしやすい。重ね使いする毛布などをカバーの中で掛け布団に重ねやすい（寝ている間にベッドから毛布がずれ落ちてお困りの方。寝相の悪いお子様などにおすすめ）。【０００７】図２のように、例えば掛け布団カバーに本考案出し入れ口を設けた場合、中央に設置することで布団を全体ではなく半分ずつ出し入れするので取り回しが容易になる。そしてカバーの四隅に手が届きやすく、隅の留め具を留めたり角を整えやすい。挿入口の横で作業すれば、カバーの周囲を行ったり来たりすることなく付け外しが可能である。
【図面の簡単な説明】
【０００８】
【図１】出し入れ口のフラップが開いた状態の斜視図
【図２】掛け布団カバーに出し入れ口を設けた場合の例
【図１】
0003224112.tif 000003
【図２】
0003224112.tif 000004
【手続補正書】
【提出日】令和1年9月4日(2019.9.4)
【手続補正１】
【補正対象書類名】実用新案登録請求の範囲
【補正対象項目名】全文
【補正方法】変更
【補正の内容】
【実用新案登録請求の範囲】
【請求項１】
所定の幅（ｄ）を有する開け口（ａ）に、開け口（ａ）を少なくとも覆うことのできる大きさの幅を有するフラップ（ｂ）を被せて閉じ具で閉じる形状の袋状物の出し入れ口。
【手続補正２】
【補正対象書類名】明細書
【補正対象項目名】０００３
【補正方法】変更
【補正の内容】
【０００３】所定の幅（ｄ）を有する開け口（ａ）に、開け口（ａ）を少なくとも覆うことのできる幅を有するフラップ（ｂ）を被せて閉じ具で閉じる形状の袋状物に出し入れ口として設ける。
(57)【要約】      （修正有）【課題】誰でもが簡単に施工、取り付けができ、大地震時に薄型テレビが転倒しない様にする、テレビ転倒防止装置を提供する。【解決手段】後ろ側・転倒防止おさえ板２とテレビ置き台表面１の間にテレビ本体の後ろ側の足３９を差し込むとともに、前側飛出し防止金具１１とテレビ置き台表面の間にテレビ本体の前側の足を差し込み、４か所の蝶ナット９、１０、１６、１７を締め付ける事により転倒を防止する。後ろ側・転倒防止おさえ板２と前側飛出し防止金具１１は上下又は前後にアジャスト出来、２０〜７０インチ位の色々なサイズのテレビに対応できる。【選択図】図４
0003224192.tif 000002
【実用新案登録請求の範囲】
【請求項１】
後ろ側・転倒防止おさえ板２とテレビ置き台（表面）１の間にテレビ本体の足３９を    差し込み、次に前側飛出し防止金具１１と前記テレビ置き台（表面）１の間に前期テ    レビ本体の足３９を差し込み、４か所の蝶ナット９，１０，１６，１７を締め付ける    ことを特徴とするテレビ転倒防止装置
【請求項２】
請求項１の前記後ろ側・転倒防止おさえ板２と前記前側飛出し防止金具１１は上下又  は前後にアジャスト出来る様にし、色々なサイズのテレビに対応出来る様にすることを  特徴とするテレビ転倒防止装置
【考案の詳細な説明】
【技術分野】
【０００１】
本考案は地震発生時にテレビの転倒を防止するための装置に関するものである。
【背景技術】
【０００２】
テレビの裏側でヒモ・チエン等で止める構造の物が存在していた。
この方法は大きな地震の揺れに対しては不安定である。
【考案の概要】
【考案が解決しようとする課題】
【０００３】
昨今テレビのほとんどが薄型になり、かつ大型化され、地震の揺れに対して非常に      不安定であり、簡単に取り付けが出来、大地震の揺れに対して強い転倒防止装置が      求められる。
【０００４】
誰でもが簡単に設置、取り付けが出来なければならない。
【課題を解決するための手段】
【０００５】
図３のように、後ろ側・転倒防止おさえ板２とテレビ置き台（表面）１の間にテレ      ビ本体の足３９を差し込み、次に前側飛出し防止金具１１と前記テレビ置き台（表      面）１の間に前期テレビ本体の足３９を差し込み、４か所の蝶ナット９，１０，        １６，１７を締め付けることを特徴とするテレビ転倒防止装置を提供する。
【０００６】
図３のように、請求項１の前記後ろ側・転倒防止おさえ板２と前記前側飛出し防止      金具１１は上下又は前後にアジャスト出来る様にし、色々なサイズのテレビに対応      出来る様にすることを特徴とするテレビ転倒防止装置を提供する。
【考案の効果】
【０００７】
大地震等が発生しても、この装置を使っていれば、テレビは転倒を免れることができ      る。
【０００８】
前記後ろ側・転倒防止おさえ板２と前記前側飛出し防止金具１１は上下又は前後に      アジャスト出来、20〜70インチ位の色々なサイズのテレビに対応できる。
【図面の簡単な説明】
【０００９】
【図１】本考案のテレビ転倒防止装置の表面平面図である。
【図２】本考案のテレビ転倒防止装置の裏面平面図である。
【図３】本考案のテレビ転倒防止装置の外観斜視図である。
【図４】本考案のテレビ転倒防止装置で、薄型テレビをセットし、上部から見た外観      斜視図である。
【考案を実施するための形態】
【００１０】
テレビ転倒防止装置は図1のように形成する。
【実施例】
【００１１】
木製の後ろ側・転倒防止おさえ板２と木製のテレビ置き台（表面）１の間にテレビ      に備え付けられているテレビ本体の足３９を差し込み、次に前側飛出し防止金具１      １と前記テレビ置き台（表面）１の間にテレビ本体の足３９を差し込み、前後左右      の４か所の蝶ナット９，１０，１６，１７を均等に締め付けるようにした構造を有      するテレビ転倒防止装置である。
【符号の説明】
【００１２】
１   テレビ置き台（表面）
２   後ろ側・転倒防止おさえ板
３   後ろ側ボールト前後調整穴（右）
４   後ろ側ボールト前後調整穴（左）
５   鉄ワッシヤ（右）
６   鉄ワッシヤ（左）
７   後ろ側鉄ボールト（右）
８   後ろ側鉄ボールト（左）
９   蝶ナット（右）
10   蝶ナット（左）
11   前側飛出し防止金具
12   前側ボールト前後調整穴（右）
13   前側ボールト前後調整穴（左）
14   前側鉄ボールト（右）
15   前側鉄ボールト（左）
16   蝶ナット（右）
17   蝶ナット（左）
18  テレビ置き台（裏面）
19  テレビ置き台足（裏面）（上）
20  テレビ置き台足（裏面）（下）
21  テレビ置き台足（裏面）（右）
22  テレビ置き台足（裏面）（左）
23  テレビ置き台足（裏面）（中央）
24  後ろ側ボールト前後調整穴（裏面）（右）
25  後ろ側ボールト前後調整穴（裏面）（左）
26  鉄ワッシヤ（右）
27  鉄ワッシヤ（左）
28  後ろ側鉄ボールト（裏面）（右）
29  後ろ側鉄ボールト（裏面）（左）
30  前側ボールト前後調整穴（裏面）（右）
31  前側ボールト前後調整穴（左）
32  鉄ワッシヤ（右）
33  鉄ワッシヤ（左）
34  前側鉄ボールト（裏面）（右）
35  前側鉄ボールト（裏面）（左）
36  テレビボード上面
37  テレビボードの棚
38  薄型テレビ
39  テレビ本体の足
【図１】
0003224192.tif 000003
【図２】
0003224192.tif 000004
【図３】
0003224192.tif 000005
【図４】
0003224192.tif 000006
【手続補正書】
【提出日】令和1年10月7日(2019.10.7)
【手続補正１】
【補正対象書類名】実用新案登録請求の範囲
【補正対象項目名】全文
【補正方法】変更
【補正の内容】
【実用新案登録請求の範囲】
【請求項１】
後ろ側・転倒防止おさえ板２とテレビ置き台（表面）１の間にテレビ本体の足３９を差し込み、次に前側飛出し防止金具１１と前記テレビ置き台（表面）１の間に前記テレビ本体の足３９を差し込み、４カ所の蝶ナット９，１０、１６，１７を締め付けることを特徴とするテレビ転倒防止装置
【請求項２】
前記後ろ側・転倒防止おさえ板２と前記前側飛出し防止金具１１は
上下又は前後にアジャスト出来る様にし、色々なサイズのテレビに対応出来る様にすることを特徴とする請求項１に記載のテレビ転倒防止装置
(57)【要約】      （修正有）【課題】口腔内でバンドをしっかり力をかけて圧接したいときに、滑らないように、先端がダイヤモンドコーテイングしてあるバンドプッシャーを提供する。【解決手段】バンドプッシャー１の先端２に人工ダイヤモンドの粒子を接着してあるバンドプッシャーである。【選択図】図１
0003224194.tif 000002
【実用新案登録請求の範囲】
【請求項１】
バンドプッシャー（１）先端（２）に人工ダイヤモンドをコーティングしたダイヤモンドプッシャー
【考案の詳細な説明】
【技術分野】
【０００１】この発明は、歯科矯正用器具であるバンドプッシャーの先端に人工ダイヤモンドの粒子をコーティングしたバンドプッシャーに関するものである。
【背景技術】
【０００２】従来バンドプッシャーの先端は何もコーティングされてなかった。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】これは次のような欠点があった。バンドプッシャーは従来口腔内で使用するために、不安定な状況で使用すると、滑って口腔粘膜を傷つけ、患者に苦痛をあたえてしまうことがあった。本発明は以上のような欠点をなくすためになされたものである。
【課題を解決するための手段】
【０００５】バントプッシャー（１）の先端（２）に人工ダイヤモンドの粒子をコーティングする。
本発明は、以上の構成よりなるダイヤモンドコーティングされたバンドプッシャーである。
【考案の効果】
【０００６】口腔内でバンドを歯に装着する際にダイヤモンドの摩擦でしっかりバンドにを圧接できることと、滑りにくいので、口腔内でも安全に使用できるようになる。
【図面の簡単な説明】
【０００７】
【図１】本発明の斜面図である。
【図２】本発明の断面図である。
【考案を実施するための形態】
【０００８】以下、本発明の実施するための形態について説明する。
バンドプッシャー（１）の先端（２）に人工ダイヤモンドの粒子を接着する。
本発明は以上のような構造である。
これを使用するときは、患者さんの口腔内でバンドをしっかり圧接したいときに使用する。
【符号の説明】
【０００９】１  バンドプッシャー
２  先端
【図１】
0003224194.tif 000003
【図２】
0003224194.tif 000004
(57)【要約】      （修正有）【課題】水門をリモコンにて操作できるユニットを設け、緊急時における危険作業の回避及び操作員の負担軽減を行う水門リモコン操作装置を提供する。【解決手段】水門リモコン操作装置１００は、水門５００が備える操作盤３００に接続されたリレー盤１と、リレー盤に接続されたリモコン盤３と、リモコン盤に着脱可能に接続されたリモコンユニット４と、を備え、リモコンユニットの操作により、水門の扉体２００の開閉制御を行う。【選択図】図１
0003224191.tif 000002
【実用新案登録請求の範囲】
【請求項１】
水門が備える操作盤に接続されたリレー盤と、前記リレー盤に接続されたリモコン盤と、前記リモコン盤に着脱可能に接続されたリモコンユニットと、を備え、前記リモコンユニットの操作により、扉体の開閉制御を行う水門リモコン操作装置。
【考案の詳細な説明】
【技術分野】
【０００１】  本考案は、水門上部へ行かなくとも、地上から扉体の開閉操作ができるものである。
【背景技術】
【０００２】  台風接近などの大雨時における緊急時には水門を操作し付近の浸水防止を図るが、機側操作盤は水門上部に設置されているため、扉体の開閉操作は梯子を上り水門上部にて行う必要がある。
【先行技術文献】
【０００３】
【特許文献１】特開平０８−８５９３４号公報
【考案の概要】
【考案が解決しようとする課題】
【０００４】  強風や大雨時の操作は危険であり、前述の危険作業を解決しようとするものである。
【課題を解決するための手段】
【０００５】  本考案に係る水門リモコン操作装置は、水門が備える操作盤に接続されたリレー盤と、前記リレー盤に接続されたリモコン盤と、前記リモコン盤に着脱可能に接続されたリモコンユニットと、を備え、前記リモコンユニットの操作により、扉体の開閉制御を行うことを特徴とする。
【考案の効果】
【０００６】  本考案の水門リモコン操作装置によると、水門の開閉操作がリモコンユニットにより地上から行え、前述の危険作業を回避出来、安全に作業が行える。また、複数の水門が設置されている場合、共通に使用出来るリモコンユニットにて速やかな操作が行え、緊急操作時間が短縮でき、浸水リスクの軽減が行えるとともに、操作員の危険防止、負担軽減も図れる。
【図面の簡単な説明】
【０００７】
【図１】  本考案の水門リモコン操作装置が設置された水門を示す概略図である。
【図２】  図１に示す水門リモコン操作装置が備えるリモコンユニットの全体図である。
【考案を実施するための形態】
【０００８】  以下、図に従って一実施例を説明する。水門５００には、水の流れを制御する扉体２００が設けられており、機側操作盤３００により水門上部に設置した開閉装置４００にて扉体２００の開閉操作を行う。
【０００９】  本考案の水門リモコン操作装置１００は、リレー盤１と、リモコン盤３と、リモコンユニット４を備え、リレー盤１とリモコン盤３は接続ケーブル２接続されている。また、リレー盤１は、接続ケーブル２により水門上部に設置されている機側操作盤３００と接続されている。
【００１０】  リレー盤１は、内部に機側操作盤３００からの電力にて動作する継電器が内蔵され、操作員が安全に操作できるように、リモコンユニット４側に低電圧回路を構築できる。リモコン盤３は、リレー盤１と接続ケーブル２により電気的に接続されるとともに、内部にはリモコンユニット４を接続できるレセプタクル（図示せず）を内蔵する。接続ケーブル２は電線管内に入れ保護される。リモコン盤３は地上から１．５ｍ付近に設置され、一般者が操作出来ないように鍵付きとしてもよい。
【００１１】  図２は、リモコンユニット４の全体図を示し、水門５００の扉部２００の開閉操作を指示する操作部と、リモコン盤３に接続するプラグとを備えている。リモコンユニット４はリモコン盤３に内蔵されておらず、操作員が持参し、リモコンユニット４のプラグをリモコン盤３のレセプタクル（図示せず）を介して接続する。水門５００は河川や湖沼等に複数個所に設置されているため、同じリモコンユニット４を他の水門に持参すれば、扉体の開閉操作が行えるシステムとする。
【００１２】  リモコンユニット４には、水門５００の扉体２００を開閉するための操作ボタンや、開閉装置４００の電源を投入又は開放するための操作ボタンが備えられている。
【００１３】  リモコンユニット４は雨天時の使用を考慮し防水型としてもよい。また、万が一の漏電のため、漏電保護機器を取り付けてもよい。
【産業上の利用可能性】
【００１４】  全国には多数の水門があり、ほとんどの場合台風接近などの大雨時における緊急時の操作を行っている。安全対策として本考案の利用が考えられる。
【符号の説明】
【００１５】    １  リレー盤
２  接続ケーブル
３  リモコン盤
４  リモコンユニット
１００  水門リモコン操作装置
２００  扉体
３００  機側操作盤
４００  開閉装置
５００  水門
【図１】
0003224191.tif 000003
【図２】
0003224191.tif 000004
(57)【要約】      （修正有）【課題】形状の変更が容易で、持ち手を付ける他、外観を高める彫刻の他、点字を表現する凹凸をチューブ容器に表現し、さらには多層特有の容器と内容物の適正を高めた多層型凹凸形状チューブを提供する。【解決手段】充填内容物を押出して使用するチューブにおいて、チューブの肩部から下端部の何れかの部位に内容物に関する情報を表す凹凸機構または点字２を設ける。【選択図】図１
0003224178.tif 000002
【実用新案登録請求の範囲】
【請求項１】
充填内容物を押出して使用するチューブにおいて、チューブの肩部から下端部の何れかの部位に内容物に関する情報を表す凹凸機構または点字を設けることを特徴とする多層型凹凸形状チューブ。
【請求項２】
肩口から口部にかけて内容物に対し機密性、耐薬性を有する２種類以上の樹脂からなる複合樹脂による多層構造でありバリア性能の向上を特徴とする多層型凹凸形状チューブ。
【考案の詳細な説明】
【技術分野】
【０００１】  持ち手を付ける他、外観を高める彫刻の他、点字を表現する凹凸をチューブ容器に表現し、量産することを可能とするチューブに関するものである。【０００２】本考案は、内容物に対しバリア性能を高めたチューブに関するものである。
【背景技術】
【０００３】  図４に示す従来の円筒状チューブは多層チューブと言われるものであっても１２が示すように円筒状の形状の他、１１が示す本体以外の肩部から口部は別パーツの単一樹脂で構成されている。
【先行技術文献】
【特許文献】
【０００４】
【特許文献１】特開昭５６−１０６７５３号  公報
【非特許文献】
【０００５】
【非特許文献１】「現場のプラスチック成形加工シリーズわかりやすい実践ブロー成形」工業調査会２０００年．Ｐ２６．Ｐ２７．Ｐ１３９
【考案の概要】
【考案が解決しようとする課題】
【０００６】  本考案は、以上のような従来の問題に鑑み、胴部の形状の複雑化及び、肩口から口部にかけても多層構造（ＰＰ・ＰＥ・Ｅｖｒ・ナイロン・ＰＥＴを選択しそれぞれの層を０．１ｍｍにて多層に組み合わせ０．３ｍｍ〜０．５ｍｍにする）による複合樹脂による機密性、耐薬性などのバリア性能の向上。【０００７】  加飾性向上、点字、持ち手に沿った形状や絞りやすさを考慮した形状の表現を可能とする。
【課題を解決するための手段】
【０００８】  本考案は、図１に示す肩口から口部にかけて多層構造、複合樹脂による機密性、耐薬性能の向上と充填内容物を押出して使用するチューブにおいてチューブの肩部から下端部の何れかの部位に内容物に関する情報を表す１の様な凹凸機構または２の様な点字を設けること及び持ちやすさや押し易さ向上するための３の様な括れや凹みなどの形状を特徴とする多層型凹凸形状チューブである。
【考案の効果】
【０００９】  多層成形でチューブ口部から本体まで表現することで口部含めバリア性が向上する。充填内容物を押出して使用するチューブにおいてチューブの肩部から下端部の何れかの部位に内容物に関する情報を表す凹凸機構または点字の表現も可能である。
底部のカットは胴体部分であれば長さに制限なく設定した箇所で量産加工が可能となる。以上の説明から明らかなように本考案にあっては次に列挙する効果が得られる。
（１）多層ブロー成型技術を元にチューブ口部から本体まで一貫して成型ができる。したがって、多層仕様の場合は内容物の適性を高める為、口部含めてバリア性の確保ができる。
（２）前記（１）によって多層ブロー成型金型を形状も自在に表現可能であり、加飾性向上、盲者の方に分かりやすくした立体的な点字から持ち手に沿った形状や絞りやすさを考慮した形状の表現が可能である。
【図面の簡単な説明】
【００１０】
【図１】  凹凸形状について多層型凹凸形状チューブの図である。
【図２】  多層型凹凸形状チューブを成型する図である。
【図３】  本案件の成型品を加工説明する図である。
【図４】  比較対象として従来のチューブの図である。
【考案を実施するための形態】
【００１１】  押出成型の従来のチューブでは無い為、様々な形状を量産出来るブロー成型を元にした成型方法である。点字などの彫刻から筒状の本体ではなく取手の様なクビレを付けたデザインまで実現が可能となる。多層成型機により樹脂原料であるＰＰ・ＰＥ・Ｅｖｒ・ナイロン・ＰＥＴを選択しそれぞれの層を０．１ｍｍにて多層に組み合わせ０．３ｍｍ〜０．５ｍｍの樹脂を自重により垂れ流し形状設定された金型に挟み込み、エアーを送り込むことで成型を行います。その後、カット機にて設定位置を切断し、底部をシール機で圧着することで完成とする。
【実施例１】
【００１２】  以下、添付図面２に従って一実施例を説明する。本考案装置の実施例１の工程図であって４に示す原料ホッパーに樹脂原料であるＰＰ・ＰＥ・Ｅｖｒ・ナイロン・ＰＥＴを選択しそれぞれの原料を充填し、５に示す多層成型機により６に示す樹脂原料を自重により垂れ流した樹脂を７に示す形状設定された金型を用意し、８のように金型を挟み込み、エアーを送り込むことで成型を行う図である。
【実施例２】
【００１３】  以下、添付図面３に従って一実施例を説明する。本案件の成型後の成型品に対して９の示すようにカット機にて設定位置にて切断をし、１０に示すように底部をシール機で圧着することで完成とする図である。
【産業上の利用可能性】
【００１４】本考案は、（多層型凹凸形状チューブ）を製造する産業で利用される。
【符号の説明】
【００１５】１：デザイン性を重視した凹凸。
２：盲人向けの点字。
３：制限されない持ちやすさを意識したくびれ筒状の形状。
４：原料ホッパー。
５：多層成型機。
６：自重により垂れ下がる多層樹脂。
７：形状設定した形状の金型。
８：垂れ下がった樹脂を形状設定した形状で挟み空気を送り込む金型。
９：成型後の容器を設定された位置でカットするカット機。
１０：後部を圧着するシール機。
１１：ＰＰやＰＥで成型される単一樹脂の口部から肩部にかける別パーツ。
１２：押出成形からなる、形状は筒状の多層チューブ胴体。
【図１】
0003224178.tif 000003
【図２】
0003224178.tif 000004
【図３】
0003224178.tif 000005
【図４】
0003224178.tif 000006
【手続補正書】
【提出日】令和1年9月12日(2019.9.12)
【手続補正１】
【補正対象書類名】実用新案登録請求の範囲
【補正対象項目名】全文
【補正方法】変更
【補正の内容】
【実用新案登録請求の範囲】
【請求項１】
充填内容物を押出して使用するチューブにおいて、チューブの肩部から下端部の何れかの部位に内容物に関する情報を表す凹凸機構または点字を設けることを特徴とする多層型凹凸形状チューブ。
【請求項２】
肩口から口部にかけても内容物に対し機密性、耐薬性を有する２種類以上の樹脂からなる複合樹脂による多層構造でありバリア性能の向上を特徴とする請求項１記載の多層型凹凸形状チューブ。
(57)【要約】      （修正有）【課題】トラック荷台と居住設備の間を据え付け器具で動かないようにしたウイングボディ型トラックを提供する。【解決手段】居住設備の走行時の安定性を図るため、居住設備を、トラック進行方向に向かって横に輪切りを積み重ねるように多層構造に接合する。これにより、トラックが走っているとき起こる荷台の振動に各層が個別に対応しトラックに合わせた動きをする。居住設備は、トラック外壁と居住設備の間に据え付け器具を置くことにより一体化して上下前後左右からの振動に耐えられるようにする。具体的には、居住設備の底部はトラック荷台２によって支え、側部は側アオリ３によって支え、前後部はウイングルーフ構造のフロントウォール４とリアウォール５によって支え、荷台内上面部からはルーフセンタービームと居住設備を繋ぐ据え付け器具６によって支える。【選択図】図２
0003224179.tif 000002
【実用新案登録請求の範囲】
【請求項１】
ウイングボディ型トラック荷台の内部の居住設備を、多層構造にする。
【請求項２】
ウイングボディ型トラック荷台内のルーフセンタービームと居住設備を繋ぐ据え付け器具を設置する。
【考案の詳細な説明】
【技術分野】
【０００１】本発明は、荷物移送に適した車両，または特殊荷物または特殊目的物を移送，運搬，または搬入するのに適した車両の居住設備を有するものに属する。
【背景技術】
【０００２】トラックは、走行時に路面の凸凹に対して荷台が柔軟に耐えられる構造になっている。トラック荷台に居住設備を乗せて走った場合、この振動があっても、トラック始動時と停止時に居住設備の位置が重なり合う必要がある。しかしながらトラック荷台内部の装置を用いた移動防止策は、トラックのウイングルーフとほぼ同じ大きさの居住設備のような荷物にたいしては不十分であった。
【考案が解決しようとする課題】
【０００３】ウイングボディ型トラック荷台に置かれた居住設備のトラック始動時位置と停止時位置が重なり合うようにする。
【課題を解決するための手段】
【０００４】居住設備の走行時の安定性を図るため、居住設備を、トラック進行方向に向かって横に輪切りを積み重ねるように多層構造にする。これにより、トラックが走っているとき起こる荷台の振動に各層が個別に対応しトラックに合わせた動きをする。
停止時の居住設備の一体性は、トラック外壁と居住設備の間に据え付け器具を置くことにより上下前後左右からの振動に耐えられるようにして保つ。具体的には、居住設備の底部はトラック荷台によって支え、側部は側アオリによって支え、前後部はウイングルーフ構造のフロントウォールとリアウォールによって支え、荷台内上面部からはルーフセンタービームと居住設備とを据え付け器具で繋ぐことによって支える。
【考案の効果】
【０００５】多重構造の居住設備により、荒れた道路でも居住設備を害することなく走行できる。停止時の居住設備の一体性は、ルーフセンタービームの据え付け器具があることで、底面部、両方の側アオリ、ウォール部と支点が全方向から確保されることにより、トラック始動時と停止時の居住設備位置が重なりあい保たれる。
【図面の簡単な説明】
【０００６】
【図１】ウイングボディ型トラックのウイングルーフ内の居住設備の多層構造を説明した図である。
【図２】居住設備が一体性を保つため、かかる力の向きを示した図である。
【考案を実施するための形態】
【０００７】ウイングボディ型トラック自動車が本考案による据え付け器具を装着するまでを述べる。
【０００８】居住設備の走行時の安定性を図るため、居住設備を、トラック進行方向に向かって横に輪切りを積み重ねたように多層構造（図１、▲１▼）にする。
【０００９】輪切りにより一体性が崩れた居住設備の統一性を確保するためにウイングルーフ壁を利用し、ウイングルーフ壁と居住設備の間に夾雑物を挟んで据え付け器具とする。具体的には、居住設備の底部はトラック荷台（図２、▲２▼）によって支え、居住設備側部は側アオリ（図２、▲３▼）によって支え、居住設備前後部はウイングルーフ構造のフロントウォール（図２、▲４▼）とリアウォール（図２、▲５▼）を据え付け器具によって支え、居住設備上面部はルーフセンタービームと据え付け器具で繋いで（図２、▲６▼）支える。
【産業上の利用可能性】
【００１０】実用新案登録３２１１４８９号手続補正書［請求項１］には「ウイングボディ型トラック自動車の荷室の内部に、居住設備を装着するときには同トラック荷台と居住設備との間を据え付け器具で動かなくし」とある。本課題は、ウイングボディ型トラック荷台と居住設備の間を据え付け器具で動かないようにする方法を示した。
【符号の説明】
【０００１１】１  多重構造の居住設備
２  トラック荷台
３  側アオリ
４  フロントウォールと据え付け器具
５  リアウォールと据え付け器
６  ルーフセンタービーム
【図１】
0003224179.tif 000003
【図２】
0003224179.tif 000004
【手続補正書】
【提出日】令和1年9月10日(2019.9.10)
【手続補正１】
【補正対象書類名】実用新案登録請求の範囲
【補正対象項目名】全文
【補正方法】変更
【補正の内容】
【実用新案登録請求の範囲】
【請求項１】
荷台内部の居住設備が多層構造を有するウイングボディ型トラック
【請求項２】
荷台内ルーフセンタービームと居住設備を繋ぐ据え付け器具が設置されたウイングボディ型トラック
(57)【要約】      （修正有）【課題】楽しく文字を覚えられ、一度覚えたら忘れないようにする出版物を提供する。【解決手段】語学学習テキストで学ぶ文字を分解し、多くの文字に共通するパーツの形と類似する、あるいはそのパーツから想像しやすい物のイラストや画像の表を掲載する出版物。パーツの形やそれから連想できる物と文字の読み、意味を思い出せる物を絡めて覚えられるようにする。【選択図】図１
0003224176.tif 000002
【実用新案登録請求の範囲】
【請求項１】
語学学習テキストで学ぶ文字を分解し、多くの文字に共通するパーツの形と類似する、あるいはそのパーツから想像しやすい物のイラストや画像の表を掲載する出版物。
【考案の詳細な説明】
【技術分野】
【０００１】  本考案は文字を分解し、多くの文字に共通する形やそれらから連想できる物のイラストや写真を活用して、それらの実像をイメージすることで、文字を容易に覚えやすいようにするようにしたものである。
【背景技術】
【０００２】  多くの文字に共通する形やそれらから連想できる物のイラストや写真を活用して、それらの実像をイメージして、文字を覚える出版物や学習法はこれまでなかった。
【考案が解決しようとする課題】
【０００３】ひらがな、カタカナ、漢字を覚える学習に膨大な時間を費やしている。また、何度も書いたり声を出したりして覚えても、忘れたり、思い出せないことが多かった。
【考案の概要】
【課題を解決するための手段】
【０００４】１．多くの文字に共通する形やそれらから連想できる物のイラストや写真をリストにして    掲載する。
２．文字学習者が文字の形を分解し、それぞれのパーツを絵として容易に思い出せるよう    にする。
３．それらのパーツの絵を組み合わせ、それに、その文字の読み、意味を表す絵を加え、    イメージをして覚える。
【考案の効果】
【０００５】文字を構成する線や点などの形を絵文字として、さらに、その文字の読み、意味を表す絵を加えてイメージするので、想像すること自体を楽しみながら覚えられ、さらに学んだ文字が容易に思い出せる。
【図面の簡単な説明】
【０００６】
【図１】  ひらがなを覚えるためのベースとなるひらがなとそのイメージイラスト。
【図２】  カタカナを覚えるためのベースとなるカタカナとそのイメージイラスト。
【図３】  線と点のイラスト（ひらがな、カタカナ、漢字共通）
【図４】  ひらがなを覚えるためのイラスト例。
【図５】  カタカナを覚えるためのイラスト例。
【図６】  漢字を覚えるためのイラスト例
【考案を実施するための形態】
ひらがな、カタカナ、漢字のパーツを一覧表にして表示。思い出せない文字に出会ったときのヒントとなる。また、あらかじめ選んである画像を学習者の好みの画像にかえることができる。これらの表を活用して、印刷物のほかインターネットや電子機器を含めた教材、学習システムで役立てることができる。
【実施例】
【０００７】イメージ図４。「ど」を覚えるために「て」を表す片手鍋をベース（図１を参照）にしている。取って部分をずらすことで、「と」と認識するようにする。鍋にまたがっているのは「どーる」（人形）で、その頭文字「ど」が読みを表している。対象の文字が「と」ではなく、「ど」であることを表すために、濁点を表すイヤリング（図２参照）を「どーる」が耳につけている。【０００８】イメージ図５。「ウ」を覚えるために「フ」を表す三角定規をベース（図２を参照）にしている。点を表す電球（図３を参照）を「ウルフ」（狼）がかじっている。「ウルフ」の頭文字「ウ」が読みを表している。【０００９】イメージ図６。「土」を覚えるために、文字を表すスキー板と鉛筆（図３参照）で表現している、その読みである「つち」の「つ」は「つる」で、また「ち」は「ちんぱんじー」で表現している。つるとちんぱんじーが土を運んでいるイメージを想像する。
【符号の説明】
【００１０】  図４一想像図。
図５一想像図。
図６一想像図。
【図１】
0003224176.tif 000003
【図２】
0003224176.tif 000004
【図３】
0003224176.tif 000005
【図４】
0003224176.tif 000006
【図５】
0003224176.tif 000007
【図６】
0003224176.tif 000008
(57)【要約】      （修正有）【課題】細菌が口の回りから入らず、菌の飛散を防ぎ、目がねが曇らず、口呼吸を鼻呼吸にし、アゴのたるみを防止するマスクを提供する。【解決手段】進化させた新型のマスクであって、横長方形で、上部は一本のワイヤーを有し、鼻の所は山型に折り曲げ空気が、もれないようにし、アゴの部分は巾と弾力が有り、アゴを包むようにし、耳にかけるのはゴムを用い、ゴムの締めの強さにより、アゴの上がり方に差が出る。【選択図】図１
0003224175.tif 000002
【実用新案登録請求の範囲】
【請求項１】
マスクの下側にゴム、ビニール、厚紙等により巾広又は強度によって、アゴを、おさえるパワーを付加し、アゴが下がり、口呼吸になるのを鼻呼吸に変える．
又  アゴのたるみを防ぐ為、アゴをガードするマスク
用途により上のワイヤーも強度を増す必要有る．
【考案の詳細な説明】
【技術分野】今迄のマスクの下にゴム、ビニール、厚紙等を使い補強しようとするマスク
【背景技術】下を補強するには巾広か、厚くするか、強度で差をつけるか、年代、男女によって違うし、用途によっても違う．
【考案の概要】
アゴから、おちないように強くすると鼻の所が、さがって来るので、上のワイヤも多少強くして鼻の高さの分、山型に析り曲げる必要が有る、寝る時マスクをする事により、無呼吸（口をあける）を、おさえる事も予想出来る
又、あごのたるみ等を、おさえる事も可これは昼でも可．
【考案が解決しようとする課題】今のマスクは、ほとんどが使いすて、一回で終るならより多くのメリットを追求すると、昼用、夜用作って昼用は、もう少しデザイン的でも、子供、女性、男性用にして強弱、巾を変化する必要有り．
【課題を解決しようとする手段】
マスクを、すると呼吸が楽になるが、口呼吸になる人も多い
アゴが、さがらないように、補強したマスクを使う、アゴ側のゴム等を巾広にしたり、強くし口の空くのを少しでも防ぎ鼻呼吸に替える
【考案の効果】
従来のマスクに、いくつかのメリットを細菌が口の回りから入って来ない、菌の飛散を防ぐ、目がねが、くもらない、口呼吸を鼻呼吸に、アゴのたるみ防止
【図面の簡単な説明】１．図Ａ、Ｂは今迄のワイヤー強度でも良いが、図Ｃ、Ｄの強度によっては、強くする必要有り、口を空けた時アゴの力にＡ、Ｂが下に持っていかれる為、それによって鼻呼吸に移行して行く．
２．アゴの引きしめを目的にするには、巾を広くし、アゴを包むようにした方が良い、弾力も考えた方が良い（Ｃ、Ｄ）
【産業上の利用可能性】病院の患者、先生、看護婦、看護師、一般の老若男女、食品を扱う人、大学、企業の研究人  全ての人に役立つマスクの下にマスク等を使った、健康マスク．
0003224175.tif 000003
【手続補正書】
【提出日】平成31年4月22日(2019.4.22)
【手続補正１】
【補正対象書類名】実用新案登録請求の範囲
【補正対象項目名】全文
【補正方法】変更
【補正の内容】
【実用新案登録請求の範囲】
【請求項１】
マスクのまわりにワイヤー、ゴム、ビニール  プラスチック、シリコン、厚紙を使い補強する．
図面Ｃ、Ｄのあごの部分を巾をもって補強する．
今迄のマスクに無く補強することにより、アゴのたるみをおさえる、口の空くのを、おさえ鼻呼吸に誘導する特徴を持つ健康マスク
図面の点線の所を切り取り、外わくＡ、Ｂ、Ｃ、Ｄのみでも使える便利が特徴な健康マスク
【手続補正２】
【補正対象書類名】明細書
【補正対象項目名】全文
【補正方法】変更
【補正の内容】
【考案の詳細な説明】
【技術の分野】
マスクのまわりにワイヤー、ゴム、ビニール、プラスチック、シリコーン、厚紙を使い補強しようとするマスク．
【背景の技術】
補強するには巾、厚さ、強度、年代、男女によっても違うので、そこは研究を用する．
【考案の概要】
アゴから、おちないように強くすると口を空ける時、鼻の所が、さがって来るので、上の方も多少強くし鼻の高さの分、山型に析り曲げる必要又、空気が、もれて、メガネが、くもらないよう鼻にフィットするように、寝る時のマスクは無呼吸（口をあける）を、おさえる事も出来る．
又、あごの、たるみ等を、おさえる事も可
これは昼でも同様．
【考案が解決しようとする課題】マスクをより多くの利点を追求すると、アゴの強化アゴのたるみを防止補助、特に下側の強化したマスクが必要と考えた．
【課題を解決しようとする手段】
ワイヤー、ゴム、ビニール、プラスティック、シリコーン、厚紙を使い厚さ、巾、弾力の組合わせによりより良い実用的で付加価値のマスクが出来る．
【考案の効果】
従来のマスクに、いくつかのメリットをプラス細菌が口のまわりからの進入を防ぎ、菌の飛散を防ぐ、目がねが、くもらない、アゴのラインを上げる事により、口呼吸も鼻呼吸にあごの、たるみ防止．
【図面の簡単な説明】
【図１】図Ａ、Ｂは用途により強さを加減する  Ａ、ＣとＢ、Ｄは弾力あるように、Ｃ、Ｄはアゴにフィットするように厚さと補強しアゴを包むようにする、それによって、口呼吸を鼻呼吸に移行する、アコの引きしめにを目的にするには、Ｃ、Ｄの巾を広くし弾力も考えたい、点線の所を切って使う事も出来る．
【産業上の利用可能性】病院の先生、患者、看護婦、看護師、一般の老若男女、食品を扱う人、大学企業の研究者、おしゃれの人、全ての人に役立つ、いくつもの利点をもつ健康マスク．
【手続補正３】
【補正対象書類名】図面
【補正対象項目名】全図
【補正方法】変更
【補正の内容】
【図１】
0003224175.tif 000004
【手続補正書】
【提出日】令和1年9月13日(2019.9.13)
【手続補正１】
【補正対象書類名】実用新案登録請求の範囲
【補正対象項目名】全文
【補正方法】変更
【補正の内容】
【実用新案登録請求の範囲】
【請求項１】
清潔、健康を意識、進化させた新型マスクであって、横長方形で、上部は一本のワイヤーを有し、鼻の所は山型に折り曲げ空気が、もれないようにし、アゴの部分は巾と弾力が有り、アゴを包むようにし、耳にかけるのはゴムを用い、ゴムの締めの強さにより、アゴの上がり方に差が出る事を特徴とするマスク。
(57)【要約】      （修正有）【課題】４個口電源取出しケーブルを提供する。【解決手段】ケーブルの直線上に１個電源取出しを設け、その下部の左右に電源取出し口を設けた３個口電源取出し口の左右の片方に直角に電源取出し口を設けた。【選択図】図３
0003224393.tif 000002
【実用新案登録請求の範囲】
【請求項１】
電源延長ケーブルの電源取出口を既存の３ヶ口取出しケーブルの電源取出口から、片側の方向に直角になるようにそれぞれ電源取出口を設けたことを特徴とする４ヶ口電源延長ケーブル。
【考案の詳細な説明】
【技術分野】
【０００１】  本考案は、電源延長ケーブルに関するものである。
【背景技術】
【０００２】  電源延長ケーブルの取出口が３個以上のものは、殆んど無かった。
【考案の開示】
【考案が解決しようとする課題】
【０００３】  電源取出口の数を増やすことで前途の欠点を解決しようとするものである。
【課題を解決するための手段】
【０００４】  既存の３つの電源取出口から直角方向に１つ電源取出口を設け、問題点を解決している。
【考案の効果】
【０００５】  上途のように電源取出口を増やすことで、大工作業の折、必要な工具に電源を供給することができる。
【考案を実施するための最良の形態】
【０００６】  電源取出口の方向を１方向追加する。
【実施例】
【０００７】  以下、添付図面に従って実施例を説明する。１のように、既存の電源取出口から直角に電源取出口を付ける。【０００８】  本考案の実施例は、上途の如き構成からなるものである。
【図面の簡単な説明】
【０００９】
【図１】正面図
【図２】側面図
【図３】外形図
【符号の説明】
【００１０】    １  電源取出口
【図１】
0003224393.tif 000003
【図２】
0003224393.tif 000004
【図３】
0003224393.tif 000005
【手続補正書】
【提出日】令和1年7月25日(2019.7.25)
【手続補正１】
【補正対象書類名】実用新案登録請求の範囲
【補正対象項目名】全文
【補正方法】変更
【補正の内容】
【実用新案登録請求の範囲】
【請求項１】
既存の三個口の電源取出しケーブルの三個口取り出し方向から、直角に電源取出し口を設けたことを特徴とする、四個口電源取出しケーブル。
【手続補正書】
【提出日】令和1年10月3日(2019.10.3)
【手続補正１】
【補正対象書類名】実用新案登録請求の範囲
【補正対象項目名】全文
【補正方法】変更
【補正の内容】
【実用新案登録請求の範囲】
【請求項１】
ケーブルの直線上に１個電源取出しを設け、その下部の左右に電源取出し口を設けた３個口電源取出し口の左右の片方に直角に電源取出し口を設けたことを特徴とする４個口電源取出しケーブル。